(57)【要約】【課題】身体のツボを刺激することができながら、安全性、耐久性に配慮した身体のツボ刺激用床材及び該床材を用いた足裏のツボ刺激階段を提供する。【解決手段】身体のツボを刺激する床材１であって、身体のツボを刺激する突部２ｂを有する硬質部材からなる押圧部２と、該硬質部材を覆い、床材の表層を形成する軟質部材からなる表層部３とからなり、床板１を押圧すると、表層部３が圧縮され、表層部３に覆われていた押圧部２により、身体のツボが刺激される。表層部３が身体のツボを刺激する突部２ｂを有する押圧部２を覆い、床材１の表層を形成するため、床材の表層にはツボ刺激用の突部２ｂが突出せず、表面にある突部２ｂでひっかかることがなく、安全に使用できる。【選択図】  図１
2010242454.tif 000002
【特許請求の範囲】
【請求項１】
身体のツボを刺激する床材であって、
身体のツボを刺激する突部を有する硬質部材からなる押圧部と、
該硬質部材を覆い、床材の表層を形成する軟質部材からなる表層部とからなり、
床板を押圧すると、表層部が圧縮され、表層部に覆われていた押圧部により、身体のツボが刺激されることを特徴とする身体のツボ刺激用床材。
【請求項２】
前記身体のツボ刺激用床材を踏み板に用いた足裏のツボ刺激階段。
【発明の詳細な説明】
【技術分野】
【０００１】
本発明は、身体のツボを刺激する床材に関する。
【背景技術】
【０００２】
ベース上に複数のツボ刺激用の突起部が配設された、ツボ指圧マットが提案されている。
【０００３】
また、階段の踏み板に足裏を刺激する突起部を設け、階段の昇降時に足裏のツボを刺激する階段が提案されている。
【先行技術文献】
【特許文献】
【０００４】
【特許文献１】特開２００６−２３３５１６号公報
【発明の概要】
【発明が解決しようとする課題】
【０００５】
しかし、従来技術のような、表面に突起部を有する床材を用いた場合、突起部が引っかかりとなるため、ツボ指圧のために使用する場合はともかく、床材や階段の踏み板として利用するときには、安全性に問題があった。また、突起部であるがゆえ、破損、磨耗しやすく床材として利用するには耐久性上の問題もあった。さらに、使用する部材によっては、突起部の破損により、破損部が鋭利になり、身体を傷つけるおそれがある。さらに、突起部間にごみがたまりやすく、掃除もしにくいという問題があった。
【０００６】
本発明は、以上のような問題点に鑑み、身体のツボを刺激することができながら、安全性、耐久性に配慮した身体のツボ刺激用床材及び該床材を用いた足裏のツボ刺激階段を提供することを課題とする。
【課題を解決するための手段】
【０００７】
上記の課題は、身体のツボを刺激する床材であって、身体のツボを刺激する突部を有する硬質部材からなる押圧部と、該硬質部材を覆い、床材の表層を形成する軟質部材からなる表層部とからなり、床板を押圧すると、表層部が圧縮され、表層部に覆われていた押圧部により、身体のツボが刺激されることを特徴とする身体のツボ刺激用床材により解決される。
【０００８】
この身体のツボ刺激用床材では、身体のツボを刺激する突部を有する硬質部材からなる押圧部と、硬質部材を覆い、床材の表層を形成する軟質部材からなる表層部とからなっており、表層部が身体のツボを刺激する突部を有する押圧部を覆い、床材の表層を形成するため、床材の表層にはツボ刺激用の突部が突出せず、表面にある突部でひっかかることがなく、安全に使用できる。
【０００９】
また、押圧部が表層部で覆われているため、表層部に突部がないので、突部間にごみがたまることもなく、また、床材の清掃も容易に行うことができる。
【００１０】
さらに、突起部がないので、破損、磨耗に対して耐久性が高く、床材として長期間使用することができる。また、突起部の破損等を考慮する必要もない。
【００１１】
上記の身体のツボ刺激用床材が、足裏のツボ刺激階段の踏み板として用いられるとよい。
【００１２】
体のツボを刺激する突部を有する硬質部材からなる押圧部と、該硬質部を覆い、床材の表層を形成する軟質部材からなる表層部、とからなる床材を踏み板として階段に利用することで、階段の昇降時に足裏のツボを刺激することのできる、足裏のツボ刺激階段を実現することができる。
【００１３】
そして、足裏のツボ刺激階段を、危険を伴う階段の昇降において、突部による足の引っかかりを心配することなく実現することができる。
【発明の効果】
【００１４】
本発明は以上のとおりであるから、身体のツボを刺激することができながら、安全性、耐久性に配慮した身体のツボ刺激用床材及び該床材を用いた足裏のツボ刺激階段を提供することができる。
【図面の簡単な説明】
【００１５】
【図１】本発明の実施形態である、身体のツボを刺激する床材を示すものであって、図（イ）断面側面図、図（ロ）は一部断面斜視図である。
【図２】身体のツボを刺激する床材の使用状況を示す図であって、図(イ)は、足裏を刺激している状況を示す断面側面図、図(ロ)は、背中を刺激している状況を示す断面斜視図である。
【図３】身体のツボを刺激する床材を階段の踏板に適用した例を示す図であって、図（イ）は階段の既設の踏板の上面に取り付けた場合を示す断面側面図、図（ロ）は、階段の踏板として利用した場合を示す断面側面図である。
【図４】図(イ)〜（ロ）は、身体のツボを刺激する床材の他の構成を示す断面側面図である。
【発明を実施するための形態】
【００１６】
次に、本発明の実施形態を図面に基づいて説明する。
【００１７】
図１に示す、本発明の実施形態である身体のツボ刺激用床材１において、２は身体のツボを刺激する突部を有する硬質部材からなる押圧部、３は押圧部２を覆い、床材の表層を形成する軟質部材からなる表層部である。硬質部材は、例えば、硬質樹脂、木材、ガラス、金属、コルクなど、荷重がかかっても変形がない、若しくはほとんど変形のない硬質の材料からなる。また、軟質部材は、例えば、軟質樹脂、発泡樹脂、ゲルなど、荷重がかかると変形する軟質の部材からなる。
【００１８】
図１（イ）、（ロ）に示すように、押圧部２は、ツボ刺激用床材１の底面部を形成する基盤部２ａと、基盤部２ａ上に、所定の間隔をあけて設けられる突条部２ｂ‥、からなる。突条部２ｂは、断面視半円形をしており、その大きさ、突条間の間隔は、身体のツボ刺激用床材１の使用目的に応じて任意に設定される。
【００１９】
例えば、図２（イ）のように、足裏のツボを刺激する目的であれば、突条部２ｂの高さを５〜１０ｍｍ、ピッチ間を１５〜２０ｍｍ程度で設ければよい。また、図２（ロ）のように、全身のツボを刺激する目的であれば、ツボを指圧する場所に応じて、突条部２ｂの高さ及びピッチをすべて同じ間隔で設けるのではなく、突条部２ｂの位置により適時調整してもよい。
【００２０】
軟質部材からなる表層部３は、押圧部２の突条部２ｂ‥間および床材の表層を覆い、表面は平滑になっている。突条部２ｂ‥の上方を覆う表層部３の厚みは、ツボ刺激用床材１に荷重がかかったときに、突条部２ｂ‥の上方を覆う表層部３が圧縮され、突条部２ｂ‥が人体のツボ刺激用の押圧点となるように、使用する軟質部材の硬度、また、押圧力などを考慮して、適した厚みが選択される。
【００２１】
このツボ刺激用床材１を床材として用いることで、図２に示すように、床材の上を歩いたり、寝転がったり、座ったりすることで、押圧部２の突条部２ｂが身体のツボを刺激する。
【００２２】
また、表層部が身体のツボを刺激する突部を有する押圧部を覆い、床材の表層を形成するため、床材の表層にはツボ刺激用の突部が突出せず、表面にある突部でひっかかることがなく、安全に使用できる。
【００２３】
また、押圧部が表層部で覆われているため、表層部に突部がないので、突部間にごみがたまることもなく、また、床材の清掃も容易に行うことができる。
【００２４】
さらに、突起部がないので、破損、磨耗に対して耐久性が高く、床材として長期間使用することができる。また、突起部の破損等を考慮する必要もない。
【００２５】
図３（イ）は、本発明の身体のツボ刺激用床材１を階段の既設の踏板５の上面に取り付けた場合、図３（ロ）は、本発明の身体のツボ刺激用床材１を階段の踏板として利用した場合である。階段の踏板が身体のツボ刺激用床材１からなるため、階段を昇降するたびに、足裏のツボが刺激されるため、足裏を刺激するために特別な行為をする必要がなく、日常生活において、階段の昇り降りをするだけで、同時に足裏のツボを刺激することができる。なお、６は、蹴込板である。
【００２６】
また、表層部が身体のツボを刺激する突部を有する押圧部を覆い、床材の表層を形成するため、床材の表層にはツボ刺激用の突部が突出しないので、特に危険な階段の昇り降りであっても、表面にある突部でひっかかることがなく、安全に階段の昇り降りをしながら、足裏のツボを刺激することができる。
【００２７】
図４に示す本発明のツボ刺激用床材の他の実施形態において、図（イ）は、硬質部材からなる押圧部２の突条部２ｂが波形状をしている。図(ロ)は、硬質部材からなる断面視丸型の棒状部材である押圧部２が、軟質部材からなる表層部材３内に埋め込まれている。さらに、図（ハ）は、軟質部材からなる表層部材３内に、硬質部材からなる球型の押圧部２が、平面状に複数埋め込まれている。
【００２８】
以上に、本発明の実施形態を示したが、本発明はこれに限られるものではなく、発明思想を逸脱しない範囲で各種の変更が可能である。例えば、上記の実施形態では、ツボ刺激用床材を床材や、階段の踏板に使用した場合について示したが、床材の使用は、既存の床材の変わりに用いてもよいし、既存の床材の上面に増し張りしてもよい。
【００２９】
押圧部の形状、配置方向、配置間隔等に制限はなく、刺激するツボに応じて任意に変更してもよいのはいうまでもない。
【符号の説明】
【００３０】
１・・・身体のツボ刺激用床材
２・・・押圧部
２ａ・・・基盤部
２ｂ・・・突条部
３・・・表層部
５・・・踏板
６・・・蹴込板
【図１】
2010242454.tif 000003
【図２】
2010242454.tif 000004
【図３】
2010242454.tif 000005
【図４】
2010242454.tif 000006